(57)【要約】【課題】より効率良く整然と巻回可能なボビン等を提供する。【解決手段】線材が巻回される巻胴部と、巻胴部の、線材の一方の端部に設けられ線材の末端部が各々接続される２本の端子ピンを備えた第一鍔部と、巻胴部の、他方の端部に設けられた第二鍔部と、第一鍔部と第二鍔部との間に設けられた第三鍔部と、を有し、第一鍔部は、巻胴部の中心側に窪み、２本の端子ピンの一方の端子ピンに一方の末端部が接続されて第一鍔部側から第三鍔部側に順次巻回される線材が屈曲される第一屈曲部を有する第一凹部を備え、第三鍔部は、巻胴部の中心側に窪み、第一鍔部側から第二鍔部側にわたり第二鍔部と第三鍔部との間に巻回された線材が通るとともに第一鍔部側に屈曲される第二屈曲部を有する第二凹部を備え、第一凹部は、第三鍔部と第一鍔部との間に掛け渡される線材が通り２本の端子ピンの他方の端子ピン側に屈曲される第三屈曲部を有する。【選択図】図２
2019145657.tif 000002
【特許請求の範囲】
【請求項１】
線材が巻回される巻胴部と、
前記巻胴部の、前記線材の巻回軸方向における一方の端部に設けられ前記線材の末端部が各々接続される２本の端子ピンを備えた第一鍔部と、
前記巻胴部の、前記巻回軸方向における他方の端部に設けられた第二鍔部と、
前記第一鍔部と前記第二鍔部との間に設けられた第三鍔部と、
を有し、
前記第一鍔部は、
前記巻胴部の中心側に窪み、前記２本の端子ピンのうちの一方の前記端子ピンに一方の前記末端部が接続されて前記第一鍔部側から前記第三鍔部側に順次巻回される前記線材が屈曲される第一屈曲部を有する第一凹部を備え、
前記第三鍔部は、
前記巻胴部の中心側に窪み、前記第一鍔部側から前記第二鍔部側にわたり前記第二鍔部と前記第三鍔部との間に巻回された前記線材が通るとともに前記第一鍔部側に屈曲される第二屈曲部を有する第二凹部を備え、
前記第一凹部は、前記第三鍔部と前記第一鍔部との間に掛け渡される前記線材が通り前記２本の端子ピンのうちの他方の前記端子ピン側に屈曲される第三屈曲部を有することを特徴とするボビン。
【請求項２】
請求項１に記載のボビンであって、
前記第一凹部及び前記第二凹部における前記巻回軸と交差する交差方向の幅は、前記巻胴部の前記交差方向の幅より狭く、前記端子ピンは、交差方向において前記第一凹部の両側に設けられていることを特徴とするボビン。
【請求項３】
請求項１または請求項２に記載のボビンであって、
前記第二屈曲部と前記第三屈曲部とは、前記交差方向において同じ位置に設けられていることを特徴とするボビン。
【請求項４】
請求項１乃至請求項３のいずれか一項に記載のボビンであって、
前記第一屈曲部及び前記第三屈曲部にて屈曲される前記線材の前記末端部を、当該末端部が接続される前記端子ピンの反対側に配線可能な空隙を有することを特徴とするボビン。
【請求項５】
請求項１乃至請求項４のいずれか一項に記載のボビンに前記線材が巻回されて当該線材の前記末端部が前記端子ピンに接続されていることを特徴とする巻線部品。
【発明の詳細な説明】
【技術分野】
【０００１】
この発明は、電気回路に使用するトランスなどに用いるボビン及び巻線部品に関する。
【背景技術】
【０００２】
線材が巻回される巻線部品としては、例えば、電気回路等に使用するコイルやトランスなどの電子部品が知られている（例えば、特許文献１参照）。この電子部品は、下鍔、中鍔、上鍔及び巻枠部を合成樹脂により一体成形したボビンを有している。ボビンには外部端子を有する下鍔側から上鍔側に編組線（線材）を巻回し、上鍔側から下鍔側に渡らせたのちに巻線端末を下鍔の外部端子に絡げている。ボビンの下鍔には巻始め端と巻終り端を各々案内する案内溝が設けられており、中鍔には編組線の巻終り端側の部位を案内する案内溝が設けられている。これら案内溝は、巻枠部に巻回される編組線の幅と同じ幅及び深さに形成されている。
【先行技術文献】
【特許文献】
【０００３】
【特許文献１】特開２００２−１９０４１５号公報
【発明の概要】
【発明が解決しようとする課題】
【０００４】
ボビンに線材を巻回する巻線工程は、安定した性能を確保しつつ効率良く巻線するために自動巻線機にて巻回することが望ましい。上記特許文献１に例示したようなボビンは、線材の幅と同じ幅の案内溝に線材を通すため線材を整然と巻回し、巻回した状態を維持することはできる一方で、線材の幅と同じ幅の案内溝に線材を巻回しつつ巻回しなければならない。このため、巻回する線材を所定の位置に正確に移動させなければならないため、製造性が悪いという課題がある。
【０００５】
本発明は、かかる課題に鑑みてなされたものであり、その目的とするところは、より製造性に優れ整然と巻回可能なボビン、及び、このボビンを用いた巻線部材を提供することを目的としている。
【課題を解決するための手段】
【０００６】
かかる目的を達成するために本発明の一態様に係るボビンは、線材が巻回される巻胴部と、前記巻胴部の、前記線材の巻回軸方向における一方の端部に設けられ前記線材の末端部が各々接続される２本の端子ピンを備えた第一鍔部と、前記巻胴部の、前記巻回軸方向における他方の端部に設けられた第二鍔部と、前記第一鍔部と前記第二鍔部との間に設けられた第三鍔部と、を有し、前記第一鍔部は、前記巻胴部の中心側に窪み、前記２本の端子ピンのうちの一方の前記端子ピンに一方の前記末端部が接続されて前記第一鍔部側から前記第三鍔部側に順次巻回される前記線材が屈曲される第一屈曲部を有する第一凹部を備え、前記第三鍔部は、前記巻胴部の中心側に窪み、前記第一鍔部側から前記第二鍔部側にわたり前記第二鍔部と前記第三鍔部との間に巻回された前記線材が通るとともに前記第一鍔部側に屈曲される第二屈曲部を有する第二凹部を備え、前記第一凹部は、前記第三鍔部と前記第一鍔部との間に掛け渡される前記線材が通り前記２本の端子ピンのうちの他方の前記端子ピン側に屈曲される第三屈曲部を有することを特徴とするボビンである。
【０００７】
かかるボビンにおいて、前記第一凹部及び前記第二凹部における前記巻回軸と交差する交差方向の幅は、前記巻胴部の前記交差方向の幅より狭く、前記端子ピンは、交差方向において前記第一凹部の両側に設けられているものとすることができる。
【０００８】
かかるボビンにおいて、前記第二屈曲部と前記第三屈曲部とは、前記交差方向において同じ位置に設けられているものとすることができる。
【０００９】
かかるボビンにおいて、前記第一屈曲部及び前記第三屈曲部にて屈曲される前記線材の前記末端部を、当該末端部が接続される前記端子ピンの反対側に配線可能な空隙を有するものとすることができる。
また、本発明の他の態様は、前記ボビンに前記線材が巻回されて当該線材の前記末端部が前記端子ピンに接続されていることを特徴とする巻線部品である。
【発明の効果】
【００１０】
本発明によれば、より製造性に優れ整然と巻回可能なボビン、及び、このボビンを用いた巻線部材を提供することが可能である。
【図面の簡単な説明】
【００１１】
【図１】本発明の一実施形態にかかるボビンを示す斜視図である。
【図２】ボビンに線材を巻回した巻線部品の正面図である。
【図３】図２におけるＡ−Ａ断面図である。
【図４】図１のＢ矢視図である。
【発明を実施するための形態】
【００１２】
本発明の一実施例について、以下に添付図面を参照しつつ説明する。
【００１３】
本発明の一実施形態に係るボビン１は、例えば、電気回路に用いられる巻線部品２としてのインダクターに用いられ、電気絶縁性を有する適宜の樹脂によって形成することができる。
【００１４】
図１、図２に示すように、本実施形態のボビン１は、中空部分１ａを有し平断面がほぼ矩形の角筒状をなして線材３が巻回される巻胴部１０を有しており、線材３が巻回されて巻線部品２として回路基板（不図示）に取り付けられた状態では、中空部分１ａが貫通する方向が回路基板の法線方向となるように配置される。ここで、中空部分１ａが貫通する方向が巻回された線材３の巻回軸方向に相当する。
【００１５】
以下の説明においては、水平に配置された回路基板（不図示）に取り付けられた巻線部品２を、巻回される線材３の巻き始め末端部３ａ及び巻き終わり末端部３ｂが配置される側から見た時に、上下となる方向を上下方向、左右となる方向を左右方向、上下方向および左右方向のいずれとも直交する方向を奥行き方向として示す。すなわち、本実施形態においては線材３の巻回軸方向は上下方向に相当する。また、ボビン１及び巻線部品２の各部位であっても、水平に配置された回路基板に取り付けられた状態で上下方向、左右方向、奥行き方向となる方向にて方向を特定して説明する。また、ボビン１及び巻線部品２を上方または下方から見たときに、ボビン１が有する中空部分１ａの内側を内周側、外側を外周側として説明する。
【００１６】
ボビン１は、巻胴部１０の下端部に設けられた第一鍔部としての下鍔部１１と、上端部に設けられた第二鍔部としての上鍔部１２と、下鍔部１１と上鍔部１２のとの間に設けられた第三鍔部としての中鍔部１３と、が巻胴部１０より外周側に張り出して、当該巻胴部１０と一体に形成されている。中鍔部１３は、上鍔部１２側に偏った位置に配置され、上鍔部１２と中鍔部１３との上下方向における間隔Ｗ１は、巻回される線材３の幅Ｗ２とほぼ一致している。
【００１７】
平面形状の外形がほぼ矩形状をなす巻胴部１０は、図３に示すように、中空部分１ａの手前側に位置する巻胴正面部１０ａと、中空部分１ａの左側に位置する巻胴左側面部１０ｂと、中空部分１ａの奥側に位置する巻胴背面部１０ｃと、中空部分１ａの右側に位置する巻胴右側面部１０ｄと、を有している。
【００１８】
下鍔部１１は、巻胴部１０より下に位置するとともに手前側に張り出す下鍔正面張出部１１ａを有している。下鍔正面張出部１１ａには、左右方向における中央に、手前側が開放されて奥側に窪む第一凹部としての下鍔凹部１１ｂが設けられており、下鍔凹部１１ｂの左右方向における両側に、巻胴部１０に巻回された線材３の末端部３ａ、３ｂが各々接続される端子ピン４がそれぞれ手前側に突出させて設けられている。
【００１９】
下鍔凹部１１ｂは、左右方向に対向する左側壁部１１ｃ及び右側壁部１１ｄと、左側壁部１１ｃの奥側の縁と右側壁部１１ｄの奥側の縁とを繋ぐ正面壁部１１ｅと、を有している。図４に示すように、下鍔凹部１１ｂの左右方向の幅Ｗ３、すなわち左側壁部１１ｃと右側壁部１１ｄとの間隔は、巻胴部１０の左右方向の幅Ｗ４より狭く、また、巻回される線材３の幅Ｗ２の２本分よりも十分広く形成されている。下鍔凹部１１ｂの奥行き方向の幅Ｄは、線材３の幅Ｗ２よりも十分広く形成されている。
【００２０】
下鍔凹部１１ｂは、左右方向における中央の位置が、巻胴部１０の左右方向における中央の位置と一致させて配置されている。このため、左側壁部１１ｃは巻胴部１０の巻胴左側面部１０ｂより右側に位置し、右側壁部１１ｄは巻胴部１０の巻胴右側面部１０ｄより左側に位置している。
【００２１】
左側壁部１１ｃの下端部１１ｉ、右側壁部１１ｄの下端部１１ｋ、及び、正面壁部１１ｅの下端部１１ｊは、下鍔正面張出部１１ａの下端部１１ｌより高い位置に位置しており、回路基板に取り付けられたときに回路基板との間に間隔があくように形成されている。
下鍔正面張出部１１ａの正面には、左右方向において、各端子ピン４に対して下鍔凹部１１ｂとは反対側に、下鍔正面張出部１１ａと回路基板との間の空隙Ｓと繋がる下鍔開口１１ｆが設けられている。このため、下鍔凹部１１ｂと下鍔開口１１ｆとは、巻線部品２が回路基板に取り付けられた状態であっても、下鍔正面張出部１１ａと回路基板との間の空隙Ｓにより連通している。
【００２２】
中鍔部１３には、巻胴部１０よりも手前側に張り出す中鍔正面張出部１３ａを有しており、中鍔正面張出部１３ａは、手前側が開放されて奥側に窪む第二凹部としての中鍔凹部１３ｂを有している。中鍔凹部１３ｂは、中鍔正面張出部１３ａが正面にて分断された左側の端部でなる左分断端部１３ｃと、右側の端部でなる右分断端部１３ｄと、巻胴部１０の巻胴正面部１０ａとで形成されている。このため、中鍔凹部１３ｂは、下鍔凹部１１ｂよりも、線材３の幅Ｗ２の分だけ奥側まで深く形成されている。
【００２３】
中鍔凹部１３ｂの左分断端部１３ｃは、左右方向において下鍔凹部１１ｂの左側壁部１１ｃと同じ位置に設けられており、中鍔凹部１３ｂの右分断端部１３ｄは、左右方向において下鍔凹部１１ｂの右側壁部１１ｄと同じ位置に設けられている。このため、左分断端部１３ｃも左側壁部１１ｃと同様に巻胴部１０の巻胴左側面部１０ｂより右側に位置し、右分断端部１３ｄも右側壁部１１ｄと同様に巻胴部１０の巻胴右側面部１０ｄより左側に位置している。
【００２４】
ボビン１に巻回される線材３は、例えば、下鍔凹部１１ｂの左側に位置する端子ピン４に末端部３ａが絡げられて左の端子ピン４の左側に位置する下鍔開口１１ｆから空隙Ｓを通され左側壁部１１ｃの下を通される。左側壁部１１ｃの下を通された線材３は、下鍔凹部１１ｂを通されて巻胴部１０に、上方から見て時計回りに巻回される。このとき、線材３は、左側壁部１１ｃの下端部１１ｉと正面壁部１１ｅの下端部１１ｊとの少なくともいずれか一方、及び、左側壁部１１ｃの上端部１１ｇと正面壁部１１ｅの上端部１１ｈとの少なくともいずれか一方、により屈曲されて巻回される。ここで、左側壁部１１ｃの上端部１１ｇ、正面壁部１１ｅの上端部１１ｈ、左側壁部１１ｃの下端部１１ｉ、及び、正面壁部１１ｅの下端部１１ｊが、端子ピン４に接続されて第一鍔部側から第三鍔部側に順次巻回される線材が屈曲される第一屈曲部に相当する。
【００２５】
下鍔部１１側から中鍔部１３側に順次巻回された線材３は、中鍔部１３の下まで巻回されると、中鍔凹部１３ｂを通されて中鍔部１３と上鍔部１２との間に巻回される。中鍔部１３と上鍔部１２との間に巻回された線材３は、右分断端部１３ｄにより屈曲されて中鍔凹部１３ｂを通され、既に巻胴部１０に巻回されている線材３の手前側を通されて真っ直ぐ下方に案内され下鍔凹部１１ｂ内に通される。ここで、右分断端部１３ｄが、第二鍔部と第三鍔部との間に巻回された線材３が第一鍔部側に屈曲される第二屈曲部に相当する。
【００２６】
下鍔凹部１１ｂ内に通された線材３は、右側壁部１１ｄに沿わされて右側壁部１１ｄの下端部１１ｋにて屈曲され、下鍔正面張出部１１ａの下の空隙Ｓを通されて右の端子ピン４の右側に位置する下鍔開口１１ｆを通される。右側の下鍔開口１１ｆを通された線材３は、下鍔開口１１ｆの左側に位置する端子ピン４に末端部３ｂが絡げられて、巻線部品２が完了する。ここで、右側壁部１１ｄの下端部１１ｋが２本の端子ピン４のうちの他方の端子ピン側に屈曲される第三屈曲部に相当する。
【００２７】
本実施形態のボビン１によれば、ボビン１の下鍔部１１側から中鍔部１３側に順次巻回される線材３は、下鍔凹部１１ｂから巻胴部１０に巻き始められる際に、左側壁部１１ｃの上端部１１ｇと正面壁部１１ｅの上端部１１ｈとの少なくともいずれか一方により屈曲される。また、中鍔部１３の下まで巻回された線材３は、ほぼ線材３の幅Ｗ２をなす上鍔部１２と中鍔部１３との間にて案内されて巻回される。そして、上鍔部１２と中鍔部１３との間に巻回された線材３は、中鍔部１３の右分断端部１３ｄにより屈曲され下鍔部１１の下鍔凹部１１ｂ内にて右側壁部１１ｄに沿わされる。このため、線材３は、ボビン１に巻回するだけで複数回屈曲されて安定した位置に配置されるので、より整然と、且つ、緩みにくく巻回される。このため、固体毎のばらつきが生じ難いため安定した性能を備えた巻線部品２を製造することが可能である。
【００２８】
このとき、線材３の巻き始め部分と、線材３の巻き終わり部分とがいずれも通される下鍔凹部１１ｂ及び中鍔凹部１３ｂは、左右方向の幅Ｗ３が線材３の幅Ｗ２の２本分より広く、奥行き方向の幅Ｄが、線材３の幅Ｗ２より広いので、線材３を通す際に高い精度が要求されることはない。そして、下鍔凹部１１ｂの左側壁部１１ｃ及び右側壁部１１ｄ、中鍔凹部１３ｂの左分断端部１３ｃ及び右分断端部１３ｄをガイドとして線材３を下鍔凹部１１ｂ及び中鍔凹部１３ｂに案内し、線材３の張力により線材３を屈曲させるとともに安定した位置に配置することが可能である。このため、自動巻線機等を用いて線材３をより効率良く巻回することが可能である。
【００２９】
また、左側壁部１１ｃは巻胴部１０の巻胴左側面部１０ｂより右側に位置し、右側壁部１１ｄは巻胴部１０の巻胴右側面部１０ｄより左側に位置しているので、線材３を巻回する際に線材３に張力が付勢されると、より確実に屈曲される。このため、巻回された線材３はより緩みにくいので、より整然と巻回することが可能であるとともに、整然と巻回された線材３の状態を維持することが可能である。
【００３０】
また、端子ピン４に対して左右方向における中央側に位置する下鍔凹部１１ｂと、端子ピン４に対して左右方向における端部側に位置する下鍔開口１１ｆとを繋ぐ空隙Ｓを経由させて線材３を端子ピン４に絡げることにより、線材３が繰り返し屈曲されるので、線材３に緩みが生じにくい。このため、線材３をさらに整然と巻回することが可能である。
【００３１】
また、中鍔凹部１３ｂの右分断端部１３ｄは、左右方向において下鍔凹部１１ｂの右側壁部１１ｄと同じ位置に設けられているので、上鍔部１２と中鍔部１３との間に巻回された線材３を真っ直ぐ下方に降ろして下鍔部１１の右側壁部１１ｄに沿わせることが可能である。このとき、中鍔部１３側は右分断端部１３ｄにより、下鍔部１１側は右側壁部１１ｄの下端部１１ｋにより屈曲されているので、最短距離を渡らせるとともに線材３が移動し難いので、線材３の緩みをより確実に防止することが可能である。
また、ボビン１に線材３を巻き付けることにより、安定した性能を備えた巻線部品２を提供することが可能である。
【００３２】
上記実施形態においては、巻胴部１０の中空部分１ａが貫通する方向が回路基板の法線方向となるように配置される例について説明したが、これに限らず、例えば、中空部分が貫通する方向が回路基板と平行をなすように配置されても構わない。
【００３３】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３４】
１  ボビン、２  巻線部品、３  線材、３ａ  末端部、３ｂ  末端部、４  端子ピン、
１０  巻胴部、１１  下鍔部、１１ｂ  下鍔凹部、１１ｃ  左側壁部、
１１ｄ  右側壁部、１１ｅ  正面壁部、１１ｇ  左側壁部の上端部、
１１ｈ  正面壁部の上端部、１１ｉ  左側壁部の下端部、１１ｊ  正面壁部の下端部、
１１ｋ  右側壁部の下端部、１２  上鍔部、１３  中鍔部、１３ｂ  中鍔凹部、
１３ｃ  左分断端部、１３ｄ  右分断端部、
Ｓ  空隙
【図１】
2019145657.tif 000003
【図２】
2019145657.tif 000004
【図３】
2019145657.tif 000005
【図４】
2019145657.tif 000006